(57)【要約】【課題】後端部の幅が軸よりも大きい筆記具を把持可能な筆記具ホルダ及び筆記具ホルダセットを提供する。【解決手段】一態様の筆記具ホルダは、後端部の幅が軸の幅よりも大きい筆記具を把持する筆記具ホルダであって、該筆記具の少なくとも一部を収容する軸筒と、該筆記具を把持するチャックとを備え、該軸筒は、該筆記具の先端部が通過可能な先端開口と、該筆記具の後端部が通過可能な後端開口とを有する。【選択図】  図４
2018225165.tif 000002
【特許請求の範囲】
【請求項１】
後端部の幅が軸の幅よりも大きい筆記具を把持する筆記具ホルダであって、
前記筆記具の少なくとも一部を収容する軸筒と、
前記筆記具を把持するチャックとを備え、
前記軸筒は、前記筆記具の先端部が通過可能な先端開口と、該筆記具の後端部が通過可能な後端開口とを有する
ことを特徴とする筆記具ホルダ。
【請求項２】
前記軸筒は、前記筆記具の軸の幅よりも大きく該筆記具の後端部の幅よりも小さい一の内径部と、該筆記具の後端部の幅よりも大きい他の内径部とを有する、請求項１に記載の筆記具ホルダ。
【請求項３】
前記軸筒の後端開口を閉塞する尾栓をさらに備える、請求項１又は請求項２に記載の筆記具ホルダ。
【請求項４】
前記軸筒の前端部又は後端部に着脱可能なキャップをさらに備える、請求項１乃至請求項３のいずれか一項に記載の筆記具ホルダ。
【請求項５】
請求項１乃至請求項４のいずれか一項に記載の筆記具ホルダを複数組み合わせた筆記具ホルダセットであって、一の筆記具ホルダの軸筒が他の筆記具ホルダの軸筒よりも短く構成された、筆記具ホルダセット。
【発明の詳細な説明】
【技術分野】
【０００１】
本発明は、筆記具を把持する筆記具ホルダ及び筆記具ホルダセットに関する。
【背景技術】
【０００２】
従来、使用者によって握持される中空ホルダと、この中空ホルダの先端に形成された開口と、この開口から先端が突出せしめられた棒状物と、該開口の内径よりもその外径が大きな弾性リングを棒状物に設けた棒状物係止装置及びその筆記具が知られている（例えば、特許文献１参照）。この棒状物係止装置及びその筆記具によれば、使用中、棒状物にガタツキがなく、かつソフトタッチとすることができるため、長時間使用しても疲労を少なくすることができる。更に、棒状物が中空ホルダから脱落することがなく、棒状物の交換を容易とすることができる。
【先行技術文献】
【特許文献】
【０００３】
【特許文献１】特開平７−２１４９７３号公報（例えば、段落０００４、段落００１４参照）
【発明の概要】
【発明が解決しようとする課題】
【０００４】
しかしながら、従来、後端部の幅が軸の幅よりも大きい筆記具を筆記具ホルダで把持して使用することは困難であった。このため、後端部の幅が軸の幅よりも大きい筆記具を把持することができる筆記具ホルダを提供することが求められていた。【０００５】
本発明は、後端部の幅が軸の幅よりも大きい筆記具を把持可能な筆記具ホルダ及び筆記具ホルダセットを提供することを目的とする。
【課題を解決するための手段】
【０００６】
本発明に係る筆記具ホルダの一態様では、後端部の幅が軸の幅よりも大きい筆記具を把持する筆記具ホルダであって、該筆記具の少なくとも一部を収容する軸筒と、該筆記具を把持するチャックとを備え、該軸筒は、該筆記具の先端部が通過可能な先端開口と、該筆記具の後端部が通過可能な後端開口とを有する。【０００７】
本発明に係る筆記具ホルダセットの一態様では、上述の筆記具ホルダを複数組み合わせた筆記具ホルダセットであって、一の筆記具ホルダの軸筒が他の筆記具ホルダの軸筒よりも短く構成される。
【発明の効果】
【０００８】
本発明の複数の態様の一によれば、後端部の幅が軸よりも大きい筆記具を把持可能な筆記具ホルダ及び筆記具ホルダセットを提供することができる。
【図面の簡単な説明】
【０００９】
【図１】本発明の一実施形態に係る筆記具ホルダをその軸線に沿って切断して示す縦断面図である。
【図２Ａ】本発明の一実施形態に係る筆記具ホルダの軸筒の側面図である。
【図２Ｂ】本発明の一実施形態に係る筆記具ホルダの軸筒の後端面図である。
【図３Ａ】本発明の一実施形態に係る筆記具ホルダのキャップの側面図である。
【図３Ｂ】本発明の一実施形態に係る筆記具ホルダのキャップの後端面図である。
【図４】本発明の一実施形態に係る筆記具ホルダのキャップを軸筒の後端部に取り付けて筆記具の筆記芯を使用する状態を示す縦断面図である。
【図５】本発明の一実施形態に係る筆記具ホルダのキャップを軸筒の前端部に取り付けて筆記具の筆記芯を筆記具ホルダ内に収容して保護する状態を示す縦断面図である。
【発明を実施するための形態】
【００１０】
以下、図に基づいて本発明の複数の実施形態を説明する。図１に示す本実施形態の筆記具ホルダ１は、後端部の幅が軸の幅よりも大きい鉛筆等の筆記具をその内部に収容可能であり、該筆記具を任意の長さでその先端開口２１４から突出させて把持可能である。以下の説明では、図１における筆記具ホルダ１の先端開口２１４側を筆記具ホルダ１の長手方向（以下、適宜、軸線方向という。）における前方とし、後端開口２１３側を後方として説明する。
【００１１】
筆記具ホルダ１は、軸筒２、尾栓３、キャップ４を備える。軸筒２は、全体が略円筒形状に形成される（図２Ａに示す側面図及び図２Ｂに示す後端面図参照）。軸筒２は、軸筒本体２１と、軸筒本体２１の前端に組み付けられたチャック２２及び先金２３とを有する。本実施形態では、後に詳述するように、先金２３によって径方向内側に向けて押圧されたチャック２２の先端部が筆記具５を挟圧して把持する。
【００１２】
軸筒本体２１は略円筒形状に形成される。軸筒本体２１は、その前端にチャック２２と先金２３を組み付ける前端部２１１を有する。前端部２１１の外周面２１１ａの外径は、軸筒本体２１の他の部分の外周面２１ａの外径よりも小さく形成される。前端部２１１の外周面２１１ａには、後に詳述する先金２３の雌ねじと螺合する雄ねじが形成される。
【００１３】
軸筒本体２１の内周面には、前端部２１１の内周面２１１ｂと他の部分の内周面２１ｂとの間に係止突起２１２が形成される。係止突起２１２は、軸筒本体２１の前部に配置され、内周面２１ｂ，２１１ｂから径方向内側に環状に突出するように形成される。前端部２１１の内周面２１１ｂは係止突起２１２の前方に形成される。前端部２１１の内周面２１１ｂの内径は、一の内径部である係止突起２１２の後方に形成された他の内径部である内周面２１ｂの内径よりも小さく形成される。軸筒本体２１の係止突起２１２の後方の内周面２１ｂの内径は、後に詳述するように、筆記具５の後端部の幅よりも大きく形成される。軸筒本体２１の前端部２１１の内周面２１１ｂの内径は、筆記具５の軸５１の幅よりも大きく、かつ筆記具５の後端部の幅よりも小さく形成される。
【００１４】
チャック２２は、軸筒本体２１の前端部２１１の内周面２１１ｂに組み付けられる。チャック２２は、略円筒形状に形成される。チャック２２は、ポリアセタール等の樹脂や真鍮等の金属で形成することができる。チャック２２は、その後端に形成された基端部２２３の外周面を軸筒本体２１の前端部２１１の内周面２１１ｂに圧入することにより、軸筒本体２１に対して組み付けられる。
【００１５】
チャック２２の前部には、軸線方向に延在する複数の切込２２１が形成される。この切込２２１により、チャック２２の前部には複数の把持板（チャック片）２２２が形成される。把持板２２２は、基端部２２３で片持支持され、径方向の内側に向けて弾性変形可能に形成される。チャック２２は、把持板２２２が径方向内側に向けて弾性変形したときには、筆記具５を挟圧して把持することができると共に、把持板２２２が径方向外側に向けて復元したときには、筆記具５の把持を開放することができるように構成される。
【００１６】
先金２３は、軸筒本体２１の前端部に取り付けられる。先金２３は、その前端に向かって徐々に先細となる先細筒状に形成される。先金２３の内周面２３ｂの後端部には、雌ねじが形成される。先金２３の雌ねじが軸筒本体２１の前端部２１１の外周面２１１ａの雄ねじと螺合することにより、先金２３が軸筒本体２１に取り付けられる。先金２３が軸筒本体２１の前端部２１１に取り付けられると、先金２３の内周面２３ｂの先細となった前端がチャック２２の把持板２２２の外周面と当接して、把持板２２２を軸筒本体２１の径方向内側に向かって押圧して弾性変形させる。
【００１７】
軸筒本体２１の後端部には、略円形の後端開口２１３が形成される。後端開口２１３は、尾栓３により閉塞することができる。尾栓３は、その後端に閉塞板を有した略円筒状に形成される。尾栓３の前部の外周面には、径方向外側に突出した環状のフランジ３１が形成される。フランジ３１よりも前方の外周面３２ａの外径は、フランジ３１よりも後方の外周面３ａの外径よりも小さく形成される。
【００１８】
尾栓３の前部の外周面３２ａには、雄ねじが形成される。尾栓３の雄ねじが軸筒本体２１の内周面２１ｂに形成された雌ねじと螺合することにより、尾栓３が軸筒本体２１の後端開口２１３を閉塞して軸筒本体２１に取り付けられる。
【００１９】
図３Ａ及び図３Ｂを参照して、筆記具ホルダ１のキャップ４を説明する。図３Ａはキャップ４の側面図を、図３Ｂはキャップ４の後端面図を各々示す。キャップ４は、その先端に閉塞板を有する略筒形状に形成される。本実施形態のキャップ４は、意匠的に優れると共に周方向への転動を防止可能である略六角形の外周形状を有するように形成される。
【００２０】
キャップ４の開口部４１近傍の内周面４ｂには、円筒ばね４２が取り付けられる。円筒ばね４２は、径方向内側に凸となるように湾曲した軸線方向に延在する複数の板ばね片を有する（不図示）。キャップ４を軸筒本体２１の前端部又は後端部に組み付けると、複数の板ばね片は軸筒本体２１の外周面を径方向内側へ押圧してキャップ４を軸筒本体２１の外周面上に保持する。キャップ４は軸筒本体２１の前端部又は後端部に着脱可能に組み付けることができる。
【００２１】
キャップ４の内部には、筆記具５の先端を収容する収容空間４３が形成される。収容空間４３は、比較的広い後部空間４３１と比較的狭い前部空間４３２とを有する。後部空間４３１及び前部空間４３２は、いずれも略円柱形の内部空間として形成される。前部空間４３２及び後部空間４３１の中心軸線はいずれもキャップ４の長手方向の中心軸線と一致するように配置される（図３Ｂ参照）。
【００２２】
キャップ４の前端の閉塞板は、前方に向けて開口する円形の凹部４４を有する。凹部４４には字消し４５が組み付けられる。
【００２３】
図４を参照して、筆記具ホルダ１で筆記具５を把持した状態を説明する。筆記具５の筆記芯Ｌが筆記具ホルダ１の先端開口２１４から所定量だけ突出するように、筆記具５の筆記具ホルダ１に対する相対的な位置を調節して筆記具５を筆記具ホルダ１で把持することができる。この際、キャップ４を軸筒２の後端部に取り付けることができる。
【００２４】
本実施形態では、筆記具５として鉛筆をもちいた場合を例示する。なお、他の実施形態では、筆記具はシャープペンシルなどの任意の筆記具とするものとしてもよい。筆記具５は、軸５１の前端に筆記芯Ｌを有し、その後端に字消しホルダ５２を有する。字消しホルダ５２は、その前端に軸５１の後端と接続する接続部５２１を有する。字消しホルダ５２は、その後端に、後方に開口する字消し把持部５２２を有する。字消し把持部５２２は略矩形筒形状に形成される。字消し把持部５２２内には、字消し５３が着脱可能に取り付けられる。
【００２５】
筆記具５は、字消しホルダ５２が接続された後端部の幅が、軸５１の幅よりも大きく形成される。軸筒本体２１の先端開口２１４は筆記具５の先端部及び軸５１が通過可能に形成され、後端開口２１３は筆記具５の軸５１及び後端部（字消しホルダ５２）が通過可能に形成される。軸筒本体２１から尾栓３を取り外し、軸筒本体２１の後端開口２１３の後方から筆記具５を軸筒本体２１内に挿入することにより、筆記具５の先端部及び軸５１が軸筒本体２１の先端開口２１４を通過すると共に、筆記具５の軸５１及び後端部が軸筒本体２１の後端開口２１３を通過する。軸筒本体２１の係止突起２１２の後面と字消しホルダ５２の幅広部の前面とが当接することにより、筆記具５の軸筒本体２１に対する相対的な前進移動が規制される。このため、筆記具５が軸筒本体２１の前方に脱落してしまうことがない。また、軸筒本体２１の後端開口２１３に尾栓３を螺合すると、筆記具５が軸筒本体２１の後方に脱落してしまうこともない。
【００２６】
軸筒本体２１の先端開口２１４及び後端開口２１３を筆記具５の先端部及び後端部が各々通過した状態では、筆記具５の少なくとも一部が軸筒２内に収容される。先金２３を軸筒本体２１に締結して先金２３の先端でチャック２２を径方向内側に向けて弾性変形させると、チャック２２が筆記具５を挟圧して筆記具５の軸５１を軸線方向の任意の位置で把持することができる。このため、筆記具５の筆記具ホルダ１からの突出長さを任意の長さに調節して筆記具５を使用することができる。
【００２７】
図５を参照して、キャップ４を軸筒２の前端部へ取り付けて、筆記具５の先端の筆記芯Ｌを筆記具ホルダ１内に収容した状態を説明する。キャップ４の後部空間４３１及び前部空間４３２には、筆記具５の先端部が収容される。筆記具５の先端の筆記芯Ｌは、前部空間４３２の先端と当接又は僅かに離間するように配置されて保護される。
【００２８】
以上説明した筆記具ホルダ１は、他の実施形態では、軸筒２の長さが異なる複数の筆記具ホルダ１を組み合わせた筆記具ホルダセットとして使用してもよい。この場合、一の筆記具ホルダ１の軸筒２の長さを、他の筆記具ホルダ１の軸筒２の長さよりも短くするように構成するものとしてもよい。
【００２９】
このように構成することにより、該筆記具ホルダセットから、筆記具５の長さに応じた軸筒２の長さを有する一の筆記具ホルダ１を選択して使用することができる。例えば、筆記具５が鉛筆である場合、その軸線方向の長さは使用量に応じて短くなる。例えば、鉛筆が比較的長いときには、軸筒２が比較的長い一の筆記具ホルダ１を選択して机上で使用するものとし、鉛筆が比較的短くなったときには、軸筒２が比較的短い他の筆記具ホルダ１を選択し、短い鉛筆を収容した該他の筆記具ホルダ１を携帯して外出先等で使用するものとしてもよい。あるいは、さらに他の実施形態では、鉛筆の長さが比較的長いときは、軸筒２が比較的短いさらに他の筆記具ホルダ１を選択して机上で使用すると共に、鉛筆の長さが比較的短くなったときは、軸筒２が比較的長いさらに別の筆記具ホルダ１を使用することで短い鉛筆の長さを補って机上で使用するものとしてもよい。この場合には、短くなった鉛筆の長さを筆記具ホルダ１で補って、常に一定の長さに調節して使用することができる。
【符号の説明】
【００３０】
１        筆記具ホルダ
２        軸筒                              ３        尾栓
３ａ      外周面                            ４        キャップ
４ｂ      内周面                            ５        筆記具
２１      軸筒本体                          ２１ａ    外周面
２１ｂ    内周面                            ２２      チャック
２３      先金                              ２３ｂ    内周面
３１      フランジ                          ３２ａ    外周面
４１      開口部                            ４２      円筒ばね
４３      収容空間                          ４４      凹部
４５      字消し                            ５１      軸
５２      字消しホルダ                      ５３      字消し
２１１    前端部                            ２１１ａ  外周面
２１１ｂ  内周面                            ２１２    係止突起
２１３    後端開口                          ２１４    先端開口
２２１    切込                              ２２２    把持板
２２３    基端部                            ４３１    後部空間
４３２    前部空間                          ５２１    接続部
５２２    字消し把持部
Ｌ        筆記芯
【図１】
2018225165.tif 000003
【図２Ａ】
2018225165.tif 000004
【図２Ｂ】
2018225165.tif 000005
【図３Ａ】
2018225165.tif 000006
【図３Ｂ】
2018225165.tif 000007
【図４】
2018225165.tif 000008
【図５】
2018225165.tif 000009
【国際調査報告】
2018225165.tif 000010
2018225165.tif 000011
2018225165.tif 000012
2018225165.tif 000013